(57)【要約】【課題】プリント回路基板に表面実装したときにプリント回路基板の薄型化を図ると共にノズル吸着型実装機による自動実装を可能としたタブ端子を提供する。【解決手段】プリント回路基板３に実装されるタブ端子１であって、凸形状をなす板体の幅広部の両側部１ｄを夫々一側にＬ字状に折曲し、更にその先端を夫々内側に略Ｌ字状に折曲してプリント回路基板の導体パターン４のハンダ付け部４ａとの接点部１ｅとし、幅狭部をリセプタクル端子５との嵌合部１ｂとしたものである。【選択図】      図１
2004327380.tif 000002
【特許請求の範囲】
【請求項１】
プリント回路基板に実装されるタブ端子であって、
凸形状をなす板体の幅広部の両側部を夫々一側にＬ字状に折曲し、更にその先端を夫々内側に略Ｌ字状に折曲して前記プリント回路基板の導体パターンのハンダ付け部との接点部とし、幅狭部をリセプタクル端子との嵌合部としたことを特徴とするタブ端子。
【請求項２】
前記各接点部は、夫々前記導体パターンのハンダ付け部と小さい角度をなして離反する方向へ斜めに延びる外面を有することを特徴とする請求項１記載のタブ端子。
【発明の詳細な説明】
【０００１】
【発明の属する技術分野】
本発明は、プリント回路基板に表面実装されるタブ端子に関し、特に表面実装したプリント回路基板の薄型化を図ると共にノズル吸着型実装機による自動実装が可能なタブ端子に関する。
【０００２】
【従来の技術】
電気機器の電気回路の構成においてプリント回路基板が多用されている。この場合、多数の導電路からなる導体パターンを回路基板に形成し、種々の電気回路素子や基板用接続端子（以下「タブ端子」という）等の電気回路部品をプリント回路基板に実装している。タブ端子は、プリント回路基板の導体パターンと外部電気回路とを接続するための端子で、基端の接続部が前記導体パターンにハンダ付けされ、先端の嵌合部が電線の端末に圧着接続されたリセプタクル端子に嵌合接続される（特許文献１参照。）。
【０００３】
【特許文献１】
特開２００２―３２４６０６号公報
【０００４】
【発明が解決しようとする課題】
従来のタブ端子は、嵌合部がプリント回路基板の表面に対して上下方向に向けて設けられており、嵌合接続されるリセプタクル端子及び電線の端末を含めた高さが高くなり、収納空間を考慮する回路設計が必要とされる。このため、プリント回路基板の薄型化、及びこれに伴う機器の小型化が困難であり、特にプリント回路基板を多段に配列する構成においてはプリント回路基板間の間隔を狭くすることが困難であり、機器の小型化を阻む要因となっている。また、従来のタブ端子は、プリント回路基板に上下方向に向けて配置し、下端の脚部をプリント回路基板の孔に嵌挿する構造とされているためにノズル吸着型実装機によりプリント回路基板に自動実装することができないという問題もある。
【０００５】
本発明は、上述の点に鑑みてなされたもので、プリント回路基板に表面実装したときにプリント回路基板の薄型化を図ると共にノズル吸着型実装機による自動実装を可能としたタブ端子を提供することを目的とする。
【０００６】
【課題を解決するための手段】
上記目的を達成するために請求項１の発明では、プリント回路基板に実装されるタブ端子であって、凸形状をなす板体の幅広部の両側部を夫々一側にＬ字状に折曲し、更にその先端を夫々内側に略Ｌ字状に折曲して前記プリント回路基板の導体パターンのハンダ付け部との接点部とし、幅狭部をリセプタクル端子との嵌合部としたことを特徴とする。
【０００７】
タブ端子は、幅広部の上面と嵌合部とが面一をなし、幅広部の上面略中央部をノズル吸着型実装機により吸着され、接点部がプリント回路基板の表面に形成された導体パターンのハンダ付け部に載置されて表面実装され、接点部の外面が前記ハンダ付け部にハンダ付けされる。嵌合部は、プリント回路基板の表面と平行に側方に延出し、電線の端末に圧着接続されたリセプタクル端子が嵌合接続される。嵌合部は、側方に延出していることでプリント回路基板の薄型化が可能となり、電気機器の小型化、薄型化が可能となる。
【０００８】
請求項２の発明では、タブ端子の各接点部は、夫々前記導体パターンのハンダ付け部と小さい角度をなして離反する方向へ斜めに延びる外面を有することを特徴とする。
タブ端子は、接点部の外面が導体パターンのハンダ付け部の表面と小さい角度をなして離反する方向に斜めに延びることで、溶融ハンダが前記接点部の外面とハンダ付け部との隙間に良好に回り込み、確実にハンダ付けされる。
【０００９】
【発明の実施の形態】
以下本発明の実施例を図面により詳細に説明する。
図１は、本発明に係るタブ端子の実施形態を示す斜視図、図２は、図１に示すタブ端子の平面図、図３は、図１に示すタブ端子の側面図、図４は、図１に示すタブ端子の正面図である。図１乃至図４に示すようにタブ端子１は、一側が接続部１ａ、他側が嵌合部１ｂとされ、接続部１ａがプリント回路基板の導体パターンのハンダ付け部に載置されてハンダ付けにより接続固定され、嵌合部１ｂがリセプタクル端子に嵌合接続される。
【００１０】
タブ端子１は、凸形状の板体から成り、接続部１ａは、凸形状の幅広部の両側部を一側（高さ方向）にＬ字状に直角に折曲されて側部１ｄ、１ｄとされ、これら側部１ｄ、１ｄの各下端が夫々内側に略Ｌ字形状、より詳しくは直角よりも僅かに小さい角度θをなして斜め上方に向けて対称に折曲されて接点部１ｅ、１ｅとされている。側部１ｄは、リセプタクル端子とプリント回路基板との間に所定のクリアランスを確保し得る高さに設定されている。そして、左右の接点部１ｅ、１ｅは、僅かな間隔を存して対向している。
【００１１】
接点部１ｅ、１ｅは、プリント回路基板の表面に形成された導体パターンのハンダ付け部との接続部とされ、図４に示すように２点鎖線で示す仮想接合面Ｓに対して例えば、１０度程度の小さい角度θをなして高さ方向に離反するように側部１ｄ、１ｄの下端から斜め上がりに折曲されている。これにより、接点部１ｅ、１ｅを仮想接合面Ｓ即ち、導体パターンのハンダ付け部に載置した際にこれら接点部１ｅの外面（以下「接合面」という）１ｆが前記ハンダ付け部の表面と角度θをなして離反する方向へ斜めに延びて前記ハンダ付け部表面との間に楔形の隙間ｇが形成される。
【００１２】
嵌合部１ｂは、凸形状の板体の幅狭部であり、幅広部の上面即ち、接続部１ａの上面１ｃと面一をなして側方に延出している。嵌合部１ｂの幅は、接続部１ａの上面１ｃの幅よりも僅かに幅狭とされてリセプタクル端子に嵌合可能とされ、付根部分が段差をなして上面１ｃに連設されている。嵌合部１ｂは、先端１ｇが全周に亘り面取りされてリセプタクル端子に嵌合し易い形状とされている。そして、上面１ｃの略中央部の２点鎖線で示す領域１ｈがノズル吸着型実装機のノズル吸着部とされている。このタブ端子１は、導電性が良好でプレス加工が容易な板厚０．５ｍｍ程度の銅合金薄板をプレス加工により凸形状に打ち抜き、幅広部を前述したように折曲して一体成形される。
【００１３】
タブ端子１は、接続部上面１ｃの略中央の領域１ｈをノズル吸着型実装機（図示せず）により吸着されて図５に示すように接続部１ａの接点部１ｅ、１ｅがプリント回路基板３の表面３ａに形成された導体パターン４のハンダ付け部４ａに載置される。そして、嵌合部１ｂがプリント回路基板３の表面３ａから離隔し、且つ表面３ａと平行に側方に延出する。
【００１４】
次いで、接続部１ａの左右の接点部１ｅ、１ｅの接合面１ｆ、１ｆがハンダ付け部４ａにハンダ付けされる。このとき、接合面１ｆ、１ｆを角度θ（約１０度）の斜め上がりとすることで、溶融ハンダがハンダ付け部４ａの表面と接合面１ｆとの間に形成される楔形の隙間ｇ（図４）に良好に回り込み、確実にハンダ付けされる。このようにして、タブ端子１がプリント回路基板３に表面実装される。そして、タブ端子１の嵌合部１ｂに電線６の一側端末に圧着接続されたリセプタクル端子５が嵌合接続される。電線６の他側端末は、外部電気回路（図示せず）に接続されている。
【００１５】
嵌合部１ｂがプリント回路基板３の表面３ａと平行に延出していることで、リセプタクル端子５がプリント回路基板３と平行に接続される。これにより、プリント回路基板３の実装高さを低くすることが可能となり、プリント回路基板３の薄型化が図られ、電気機器の小型化、薄型化を図ることが可能となる。
【００１６】
【発明の効果】
以上説明したように、請求項１の発明では、凸形状をなす板体の幅広部の両側部を夫々一側にＬ字状に折曲し、更にその先端を夫々内側に略Ｌ字状に折曲して前記プリント回路基板の導体パターンのハンダ付け部との接点部とし、幅狭部をリセプタクル端子との嵌合部としたことで、プリント回路基板に表面実装した際に嵌合部を前記プリント回路基板と平行に側方に延出させることができ、プリント回路基板の薄型化が可能となり、これに伴い電気機器の小型化、薄型化が可能となる。また、ノズル吸着型実装機によりプリント回路基板にタブ端子を表面実装することができ、生産性の向上が図られる。
【００１７】
請求項２では、各接点部が夫々導体パターンのハンダ付け部と小さい角度をなして離反する方向へ斜めに延びる外面を有することで、溶融ハンダが接点部の外面とハンダ付け部との隙間に良好に回り込み、ハンダ付け部にタブ端子の接点部を確実にハンダ付けすることが可能となる。
【図面の簡単な説明】
【図１】本発明に係るタブ端子の実施形態を示す斜視図である。
【図２】図１に示すタブ端子の平面図である。
【図３】図１に示すタブ端子の側面図である。
【図４】図１示すタブ端子の正面図である。
【図５】図１に示すタブ端子をプリント回路基板に表面実装した状態の斜視図である。
【符号の説明】
１  タブ端子
１ａ  接続部
１ｂ  嵌合部
１ｃ  上面
１ｄ  側部
１ｅ  接点部
１ｆ  外面（接合面）
３  プリント回路基板
４  導体パターン
４ａ  ハンダ付け部
５  リセプタクル端子
６  電線
【図１】
2004327380.tif 000003
【図２】
2004327380.tif 000004
【図３】
2004327380.tif 000005
【図４】
2004327380.tif 000006
【図５】
2004327380.tif 000007